(57)【要約】【課題】羽根部材もしくは羽根部材近傍の摺動部材によって発生した静電気を除去できるレンズ鏡筒を提供する。【解決手段】外部空間と内部空間との間を連通させる空気流通路が形成されたレンズ鏡筒１０において、内部空間に配置されていて所定の範囲内で複数の羽根部材５３を回転させて所定の開口を形成する絞りユニット１と、内部空間に配置されていて絞りユニットに対して被写体側に位置する光学ユニット１１，１２と、絞りユニットに形成されていて内部空間と連通する貫通孔５２ｇ，５４ｇとを具備し、光学ユニットと絞りユニットとの少なくとも一方が光軸方向に移動する際、内部空間の空気及び内部空間の空気に含まれる複数の羽根部材に帯電した静電気を空気流通路および貫通孔を通って排出させる。【選択図】図７
2019200234.tif 000002
【特許請求の範囲】
【請求項１】
外部空間と内部空間との間を連通させる空気流通路が形成されたレンズ鏡筒において、
上記内部空間に配置されていて、所定の範囲内で複数の羽根部材を回転させて所定の開口を形成する絞りユニットと、
上記内部空間に配置されていて、上記絞りユニットに対して被写体側に位置する光学ユニットと、
上記絞りユニットに形成されていて、上記内部空間と連通する貫通孔と、
を具備し、
上記光学ユニットと上記絞りユニットとの少なくとも一方が光軸方向に移動する際、上記内部空間の空気及び上記内部空間の空気に含まれる上記複数の羽根部材に帯電した静電気を、上記空気流通路および上記貫通孔を通って排出させることを特徴とするレンズ鏡筒。
【請求項２】
上記絞りユニットは、
上記開口の中心軸周りに回転自在に配置され、上記複数の羽根部材を駆動する羽根駆動部材と、上記複数の羽根部材を回転自在に軸支する支軸部を有し、上記複数の羽根部材及び上記羽根駆動部材を内部に収納する固定枠部材と、を有することを特徴とする請求項１記載のレンズ鏡筒。
【請求項３】
上記貫通孔は複数設けられており、これら複数の貫通孔は、重なり合い帯電している状態で配置される上記複数の羽根部材に対向する部位に形成されていることを特徴とする請求項１に記載のレンズ鏡筒。
【請求項４】
上記貫通孔は複数設けられており、これら複数の貫通孔は、上記複数の羽根部材によって形成される開口が最大開口径に設定される際の当該複数の羽根部材と対向する部位に穿設されていることを特徴とする請求項１に記載のレンズ鏡筒。
【請求項５】
上記帯電した空気は、重なり合い帯電している状態で配置される上記複数の羽根部材の間を通って上記外部空間に排出されることを特徴とする請求項３に記載レンズ鏡筒。
【発明の詳細な説明】
【技術分野】
【０００１】
この発明は、複数の羽根部材を駆動させることにより光学系を通過する光量を調整するための光量調整装置（絞りユニット）を具備するレンズ鏡筒に関するものである。
【背景技術】
【０００２】
従来、撮像装置等に設けられ、撮像光学系等を含んで構成されるレンズ鏡筒においては、撮像光学系を通過する光量を調整するための光量調整装置（いわゆる絞りユニット）を、当該撮像光学系の光路上に配置して構成されているものがある。
【０００３】
この種の従来の光量調整装置においては、一部を互いに重ね合わせた形態で、光学系の光軸周りに配置された複数の羽根部材のそれぞれを、各羽根部材の支軸を回転中心として回転させることによって、所望の開口（絞り開口という）を形成するように構成したものがある。
【０００４】
ここで、複数の羽根部材自体の構成としては、例えば樹脂素材等を用いて薄板状に形成されているものが一般的である。したがって、これら複数の羽根部材が、所望の絞り開口を形成するために駆動されると、隣接する羽根部材同士が互いに摺動することになる。これにより、複数の羽根部材同士の間に静電気が発生する可能性がある。
【発明の概要】
【発明が解決しようとする課題】
【０００５】
ところが、従来の光量調整装置においては、例えば、複数の羽根部材同士が摺動することで発生した静電気を除去するための工夫は特になされていなかった。したがって、従来の光量調整装置においては、装置内部の構成部材、特に複数の羽根部材が帯電してしまう（つまり、静電気が溜まり続けてしまう）ことがある。
【０００６】
一般に光量調整装置の内部が帯電し、放電されないまま溜まり過ぎてしまうと、例えば駆動モータによって駆動や停止の制御がなされる複数の羽根部材の停止精度が悪化したり、複数の羽根部材を駆動する際の負荷が大きくなってしまう等の問題が生じることが考えられる。
【０００７】
本発明は、上述した点に鑑みてなされたものであって、その目的とするところは、羽根部材もしくは羽根部材近傍の摺動部材によって発生した静電気を除去することのできるレンズ鏡筒を提供することである。
【課題を解決するための手段】
【０００８】
上記目的を達成するために、本発明の一態様のレンズ鏡筒は、外部空間と内部空間との間を連通させる空気流通路が形成されたレンズ鏡筒において、上記内部空間に配置されていて、所定の範囲内で複数の羽根部材を回転させて所定の開口を形成する絞りユニットと、上記内部空間に配置されていて、上記絞りユニットに対して被写体側に位置する光学ユニットと、上記絞りユニットに形成されていて、上記内部空間と連通する貫通孔と、を具備し、上記光学ユニットと上記絞りユニットとの少なくとも一方が光軸方向に移動する際、上記内部空間の空気及び上記内部空間の空気に含まれる上記複数の羽根部材に帯電した静電気を、上記空気流通路および上記貫通孔を通って排出させる。
【発明の効果】
【０００９】
本発明によれば、羽根部材もしくは羽根部材近傍の摺動部材によって発生した静電気を除去することのできるレンズ鏡筒を提供することができる。
【図面の簡単な説明】
【００１０】
【図１】本発明の一実施形態のレンズ鏡筒の構成を示し、光軸Ｏを含む面で切断したようすを示す縦断面図（最短焦点状態（広角端））
【図２】図１の矢印符号［２］で示す部分を拡大して示す要部拡大断面図
【図３】本発明の一実施形態のレンズ鏡筒の構成を示し、光軸Ｏを含む面で切断したようすを示す縦断面図（最長焦点状態（望遠端））
【図４】図３の矢印符号［４］で示す部分を拡大して示す要部拡大断面図
【図５】本発明の一実施形態のレンズ鏡筒に適用される光量調整装置の外観斜視図
【図６】図５の符号［６］で示す平面で切断した切断面を示す外観斜視図
【図７】図５の光量調整装置の分解斜視図
【図８】図５の光量調整装置における羽根駆動部材の三面図
【図９】図５の光量調整装置における蓋部材の三面図
【図１０】図５の光量調整装置が第３レンズ群保持筒に組み付けられた状態を示す断面図（図１１の［１０］−［１０］線に沿う断面図）
【図１１】図１０の矢印［１１］方向から見た平面図（背面図）
【図１２】図１０の矢印［１２］方向から見た平面図（正面図）
【発明を実施するための形態】
【００１１】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１２】
以下に説明する一実施形態は、例えば撮像装置等に設けられ、絞りユニットである光量調整装置を具備し、撮像光学系等を含んで構成されるレンズ鏡筒を例示するものである。即ち、本実施形態は、具体的には、例えばスチルカメラやビデオカメラ等の撮像装置に取り付けられるレンズ鏡筒を例示している。
【００１３】
本実施形態においては、撮像装置本体に対してレンズ鏡筒が着脱自在に構成される形態のいわゆるレンズ交換式撮像装置における交換式レンズ鏡筒を例示している。
【００１４】
しかしながら、本発明を適用し得るレンズ鏡筒の形態は、交換式レンズ鏡筒に限られることはない。例えば、撮像装置本体に対してレンズ鏡筒が一体に固定されて構成される形態のいわゆるレンズ一体式撮像装置におけるレンズ鏡筒に対しても同様に適用することができる。
【００１５】
なお、本実施形態の説明においては、光学系の光軸を符号Ｏで表すものとする。そして、光軸Ｏに沿う方向において、光束が入射してくる側の面を当該レンズ鏡筒の前面というものとし、当該前面に対向する面であって光束が出射する側の面を当該レンズ鏡筒の背面というものとする。
【００１６】
［一実施形態］
まず、本発明の一実施形態のレンズ鏡筒の概略構成を簡単に説明する。
【００１７】
図１，図３は、本発明の一実施形態のレンズ鏡筒の構成を示し、光軸Ｏを含む面で切断したようすを示す縦断面図である。このうち、図１は、当該レンズ鏡筒によって設定し得る焦点距離のうち最短焦点状態（広角端）にあるときの本実施形態のレンズ鏡筒の状態を示している。また、図３は、当該レンズ鏡筒によって設定し得る焦点距離のうち最長焦点状態（望遠端）にあるときの本実施形態のレンズ鏡筒の状態を示している。また、図２，図４は、図１，図３の矢印符号［２］，［４］で示す部分を拡大して示す要部拡大断面図である。
【００１８】
本発明の一実施形態のレンズ鏡筒１０は、図１，図３に示すように、不図示の撮像装置の前面に着脱自在に配設され得るように、後端部位に所定のマウント部４３を有して構成されている。即ち、本実施形態において例示するレンズ鏡筒は、撮像装置（不図示）に対して着脱自在に構成される交換式のレンズ鏡筒１０として示している。
【００１９】
さらに、本実施形態のレンズ鏡筒１０の例示として、図１，図３においては、レンズ鏡筒の全長が変倍操作（ズーミング操作）に応じて伸縮するように構成されたズームレンズ鏡筒を示している。
【００２０】
レンズ鏡筒１０は、図１，図３に示すように、絞りユニットである光量調整装置１と、撮像光学系（１１〜１５）と、複数のレンズ群保持筒（２１〜２５）と、ズーム機構（可動筒２６，カム筒２７，内部固定筒２８）と、外装部材（２９〜３３）と、複数の操作部材（フォーカスリング４１，ズームリング４２）と、マウント部４３と、通気シート４４等を有して構成されている。
【００２１】
撮像光学系（１１〜１５）は、複数の光学レンズによって構成されている。撮像光学系は、前方にある被写体からの光束を集光して、当該被写体の光学像を形成し、その被写体像を所定の結像面上に結像させる構成ユニットである。本実施形態においては、複数の光学レンズで構成される５つのレンズ群を備えて構成される例を示している。
【００２２】
即ち、当該レンズ鏡筒１０における撮像光学系は、前面側から順に、第１レンズ群１１，第２レンズ群１２，第３レンズ群１３，第４レンズ群１４，第５レンズ群１５を有し、光軸Ｏに沿って配置されている。
【００２３】
そして、第１レンズ群１１は、第１レンズ群保持筒２１によって保持されている。この第１レンズ群保持筒２１は、可動部材である可動筒２６の先端部分に固定されて、所定のズーミング操作を受けて当該可動筒２６と共に、光軸Ｏに沿う方向に進退移動して、ズーミング動作に寄与する。ここで、第１レンズ群１１と第１レンズ群保持筒２１と可動筒２６とによって構成されるユニットを第１光学ユニットというものとする。
【００２４】
第２レンズ群１２は、第２レンズ群保持筒２２によって保持されている。この第２レンズ群保持筒２２は、後述する内部固定筒２８に固定されている。この第２レンズ群保持筒２２に保持される第２レンズ群１２もズーミング動作に寄与している。ここで、第２レンズ群１２と第２レンズ群保持筒２２によって構成されるユニットを第２光学ユニットというものとする。この第２光学ユニットは、レンズ鏡筒１０の内部空間に配置されている。
【００２５】
第３レンズ群１３は、第３レンズ群保持筒２３によって保持されている。この第３レンズ群保持筒２３は、不図示の内部可動筒に固定されて、所定のズーミング操作を受けて当該内部可動筒と共に、光軸Ｏに沿う方向に進退移動して、ズーミング動作に寄与する。ここで、第３レンズ群１３と第３レンズ群保持筒２３によって構成されるユニットを第３光学ユニットというものとする。
【００２６】
なお、後述するが、第３レンズ群保持筒２３には、光量調整装置１（絞りユニット）が、被写体寄りの位置に一体に取り付けられている。つまり、光量調整装置１は、第２光学ユニットと、第３光学ユニットとの間の空間に配置されている。また、第２光学ユニットは、光量調整装置１（絞りユニット）に対して被写体側に位置している。
【００２７】
第４レンズ群１４は、第４レンズ群保持筒２４によって保持されている。この第４レンズ群保持筒２４は、不図示のフォーカシング機構に固定されて、所定のフォーカシング操作を受けて当該フォーカシング機構と協働して、光軸Ｏに沿う方向に進退移動して、フォーカシング動作に寄与する。
【００２８】
第５レンズ群１５は、第５レンズ群保持筒２５によって保持されている。この第５レンズ群保持筒２５は、後述する外装部材のうちの固定筒２９の後端部分に固定されている。
【００２９】
ズーム機構は、複数のレンズ群保持筒のうちの一部のレンズ群保持筒（２２，２３）を光軸Ｏに沿う方向に移動させる機構ユニットである。ズーム機構は、例えば可動筒２６，カム筒２７，内部固定筒２８と、複数の操作部材のうちのズームリング４２等によって構成される。
【００３０】
ズーム機構の詳細構成については、従来の一般的なズームレンズに採用される機構と同じものが適用されているものとして、その説明は省略する。簡略に説明すると、例えば、使用者（ユーザ）がズームリング４２を光軸Ｏ周りに回転させる操作を行うと、この操作に内部のズーム機構が連動して内部固定筒２８の外周面上をカム筒２７が光軸Ｏ周りに回転する。これにより、可動筒２６が光軸Ｏに沿う方向に移動して、第２レンズ群保持筒２２及び第３レンズ群保持筒２３が、光軸Ｏに沿う方向に適宜移動する。
【００３１】
外装部材（２９〜３３）は、当該レンズ鏡筒１０の外面を覆う筒状の構成部材である。また、複数の操作部材は、例えばフォーカスリング４１とズームリング４２とが設けられている。これらフォーカスリング４１とズームリング４２とは、光軸Ｏ周りに回転自在に配設されている。そして、フォーカスリング４１は、不図示のフォーカス機構に連動し、ズームリング４２は、上述したように不図示のズーム機構に連動して、それぞれ所定の動作が行われる。
【００３２】
マウント部４３は、不図示の撮像装置の前面に当該レンズ鏡筒を連結し固定するための連結部材である。マウント部４３は、一般的なレンズ交換式撮像装置において適用されている形態のもの、例えばバヨネット式の連結部材などが適用される。
【００３３】
本レンズ鏡筒１０において、フォーカスリング４１とズームリング４２とは、一部が周方向に重なるように配置されている。この場合において、フォーカスリング４１とズームリング４２との間には、隙間Ｇ１が形成されている。この隙間Ｇ１は、当該レンズ鏡筒１０の外部と内部との間で空気の出入りができる程度の寸法を有している。
【００３４】
また、ズームリング４２と、このズームリング４２を回転自在に保持する外装部材３０との間にも、当該レンズ鏡筒１０の外部と内部との間で空気の出入りができる程度の所定の寸法を有する隙間Ｇ２が形成されている。
【００３５】
そして、外装部材３０には、径方向に貫通する複数の孔部３０ａが形成されている。この孔部３０ａは隙間Ｇ１，隙間Ｇ２を経て入ってきた空気を当該レンズ鏡筒１０の内部に吸入し、内部の空気を外部へ排出する空気流通路の一部を構成している。つまり、隙間Ｇ１，Ｇ２から孔部３０ａは、外部空間と内部空間との間の空気の流通を許容する空気流通路を形成している。
【００３６】
この孔部３０ａは、外面側が通気シート４４によって覆われている。この通気シート４４は、例えばポリエステル等の合成樹脂からなる微細な目を有する網によって構成されている。通気シート４４は、例えば撥水性の高い材料からなる。もしくは、通気シート４４は、撥水性を高める表面処理が施されている。通気シート４４は、空気を通過させるとともに、レンズ鏡筒１０の外部空間から隙間Ｇ１，Ｇ２を通って孔部３０ａまで到達した塵埃や液滴が、孔部３０ａを通ってレンズ鏡筒１０の内部空間に入り込むことを抑止している。
【００３７】
このように、本実施形態において例示するレンズ鏡筒１０は、外部空間と内部空間との間を連通させる空気流通路（Ｇ１，Ｇ２，３０ａ）が形成された形態のレンズ鏡筒である。
【００３８】
次に、光量調整装置１の詳細構成を、図５〜図９を用いて以下に説明する。図５は光量調整装置の外観斜視図である。図６は図５の外観斜視図において、符号［６］で示す平面で切断した切断面を示す図である。図７は光量調整装置の分解斜視図である。図８は光量調整装置における羽根駆動部材の三面図である。図９は光量調整装置における蓋部材の三面図である。なお、図８，図９において符号［Ａ］は正面図、符号［Ｂ］は側面図、符号［Ｃ］は背面図である。
【００３９】
光量調整装置１は、主に機械的構成部からなる絞り機構ユニットと、この絞り機構ユニットを駆動するための駆動源となる電気的構成部である駆動モータ５６とを有して構成されている。
【００４０】
光量調整装置１は、光束が通過する開口１０ａを有して構成されている。光量調整装置１は、所望の開口を形成するための複数の羽根部材５３（詳細後述）を有する。この複数の羽根部材５３は、開口１０ａの外周領域において、同開口１０ａを通過する光束の光軸Ｏに平行な軸周りに回転可能に設けられている。即ち、光量調整装置１（絞りユニット）は、レンズ鏡筒１の内部空間の所定の位置に配置されていて、所定の範囲内出複数の羽根部材５３を回転させて所定の開口１０ａを形成するための構成ユニットである。
【００４１】
そして、駆動モータ５６は、複数の羽根部材５３を所定のタイミングで駆動することによって、当該複数の羽根部材５３を開口１０ａに対して光軸Ｏに直交する方向に進退させることができるように構成されている。これにより、光量調整装置１は、光軸Ｏに沿って通過する光束の開口の口径（以下、開口径という）を変化させ決定する機構である。
【００４２】
なお、駆動モータ５６は、光量調整装置１が適用される機器、例えばレンズ鏡筒１０若しくはこのレンズ鏡筒１０が装着される撮像装置（不図示）のボディ内部に設けられる制御回路（不図示）によって駆動制御される。ここで、制御回路は、例えばＡＳＩＣ（Application Specific Integrated Circuit；特定用途向け集積回路）等を含む制御回路によって構成される。
【００４３】
光量調整装置１は、固定枠部材５１と、羽根駆動部材５２と、複数の羽根部材５３と、蓋部材５４と、トーションバネ５５と、付勢手段である付勢バネ５８と、位置センサ６０等によって主に構成されている。
【００４４】
固定枠部材５１は、光量調整装置１における基本構成部材である。固定枠部材５１は、全体が略円環形状に形成されており、その略中心部位には略円形状の開口５１ａを有して形成されている。そして、固定枠部材５１は、複数の羽根部材５３のそれぞれを回転可能に支持する複数の支軸部（不図示）を有している。複数の羽根部材５３は、開口５１ａの周囲において、上記各支軸部（不図示）を回転中心として回転可能に配置されている。複数の羽根部材５３は、それぞれが回転することによって、所望の開口径を形成し得るように構成されている（詳細構成は後述する）。したがって、固定枠部材５１は、複数の羽根部材５３のそれぞれを回転可能に支持する支持部材として機能する。
【００４５】
固定枠部材５１は、開口５１ａを有する円環状平面部と、この円環状平面部の外周縁を取り囲むように形成される外壁部と、上記円環状平面部の内周縁を取り囲むように、即ち開口５１ａの外周縁に沿って形成される内壁部とによって形成される。このような構成からなる固定枠部材５１は、円環平面部と外壁部と内壁部とによって形成される内側の領域に内部空間部を備え、上記円環平面部に対向する面が開口した形態の円環状筐体を形成している。
【００４６】
固定枠部材５１の内部空間部には、羽根駆動部材５２及び複数の羽根部材５３が所定の形態で収納されている（詳細は後述する）。固定枠部材５１の円環平面部に対向する部位は、上述したように開口しており、この開口部位を覆うように蓋部材５４が配置されている。これにより、固定枠部材５１と蓋部材５４とは、光量調整装置１の外装筐体を形成している。そして、この外装筐体の内側に、羽根駆動部材５２と、複数の羽根部材５３とが、所定の形態で収納されている。
【００４７】
固定枠部材５１の円環平面部の一側面であって、上記内部空間部が形成される側とは反対側の外面側には、所定の部位に駆動モータ５６が複数（本実施形態では２本）のビス５７によって、固定枠部材５１に対して固定配置されている。
【００４８】
駆動モータ５６は、例えばステッピングモータ等が適用されている。この駆動モータ５６は、当該光量調整装置１における羽根駆動部材５２を所定のタイミングで所定の回転方向へ所定量だけ回転駆動させるための電動アクチュエータであり電動駆動源である。
【００４９】
駆動モータ５６は、回転する駆動軸を有している。この駆動軸の先端にはピニオンギアー５６ａ（図７参照）が固設されている。このピニオンギアー５６ａは、羽根駆動部材５２のセクタギアー５２ｄ（後述する）に噛合している。このような構成によって、駆動モータ５６の回転駆動力は、駆動軸、ピニオンギアー５６ａ、セクタギアー５２ｄを介して羽根駆動部材５２へと伝達されるように構成されている。そして、この駆動モータ５６の回転駆動力を受けて、羽根駆動部材５２は光軸Ｏ周りに所定方向に所定量だけ回転駆動するように構成されている。
【００５０】
羽根駆動部材５２は、駆動モータ５６の駆動力を受けて複数の羽根部材５３を駆動させるために設けられている構成部材である。この羽根駆動部材５２は、開口５１ａの中心軸周りに回転自在に設けられ、後述する機構により回転することによって複数の羽根部材５３による開口径を決定する部材である。
【００５１】
羽根駆動部材５２は、全体が固定枠部材５１よりもやや小径の略円環形状に形成されており、その略中心部位に略円形状の開口５２ａを有している。この開口５２ａの中心軸は、開口５１ａの中心軸及び光軸Ｏと略一致するように配置されている。羽根駆動部材５２は、固定枠部材５１の内部空間部において、同固定枠部材５１に対して、光軸Ｏ周りの径方向において、所定の範囲内で正逆回転可能に配設されている。
【００５２】
羽根駆動部材５２は、外周縁部の一部位にセクタギアー５２ｄが形成されている。このセクタギアー５２ｄには、上述したように、駆動モータ５６のピニオンギアー５６ａが噛合している。これにより、駆動モータ５６の回転駆動力は、羽根駆動部材５２へと伝達されて、この羽根駆動部材５２を光軸Ｏ周りに回転させる。
【００５３】
また、羽根駆動部材５２の外周縁部近傍の一部位には、付勢バネ５８の一端を係止する第１バネ係止部５２ｂが形成されている。第１バネ係止部５２ｂは、羽根駆動部材５２の径方向に対して略直交する方向（光軸Ｏと平行方向）に向けて突出するように形成された軸状部位である。この第１バネ係止部５２ｂには付勢バネ５８の一端が係止されている。そのために、当該第１バネ係止部５２ｂの先端部は、付勢バネ５８の一端を係止して容易に脱落しないような形状に、例えば略フック形状に形成されている。
【００５４】
ここで、付勢バネ５８は、固定枠部材５１に対して羽根駆動部材５２を光軸Ｏ周りの一方向に回転付勢して、複数の羽根部材５３を光軸Ｏに平行な回転軸周りの一方向に回転付勢するための付勢部材である。付勢バネ５８は、例えば緊縮性のコイルバネ等によって形成されている。
【００５５】
一方、固定枠部材５１の円環平面部における所定の部位には、周方向に沿って所定の長さを有する貫通溝５１ｂが形成されている。この貫通溝５１ｂは、羽根駆動部材５２を固定枠部材５１の内部空間部の所定の部位に収納したとき、第１バネ係止部５２ｂが貫通して、当該第１バネ係止部５２ｂを固定枠部材５１の外面側（円環平面部の一側面）に突出させて配置するために形成されている。つまり、第１バネ係止部５２ｂは、駆動モータ５６の駆動力を受けて羽根駆動部材５２が回転したとき、貫通溝５１ｂに沿って移動するように構成されている。
【００５６】
他方、固定枠部材５１の外面側（円環平面部の一側面側）において、上記貫通溝５１ｂの近傍には、第１バネ係止部５２ｂと同一方向に向けて突設される第２バネ係止部５１ｃが形成されている。この第２バネ係止部５１ｃに付勢バネ５８の他端が係止されている。そのために、当該第２バネ係止部５１ｃの先端部は、上記付勢バネ５８の他端を係止して容易に脱落しないような形状に、例えば略フック形状に形成されている。
【００５７】
上述したように、付勢バネ５８の一端は、羽根駆動部材５２の第１バネ係止部５２ｂに係止され、他端は固定枠部材５１の第２バネ係止部５１ｃに係止されている。したがって、この構成により、羽根駆動部材５２は、付勢バネ５８の付勢力によって固定枠部材５１に対して常に一方の回転方向に付勢されている。この場合において、付勢バネ５８による羽根駆動部材５２の回転付勢方向は、例えば羽根駆動部材５２の回転により駆動される複数の羽根部材５３が開口径を狭める方向（閉方向）となっている。
【００５８】
なお、この構成例とは別に、付勢バネ５８による羽根駆動部材５２の付勢方向として、開口径を開放状態とする方向（開方向）としてもよい。
【００５９】
羽根駆動部材５２における円環形状を成す平面部位には、所定形状のカム曲線を有する複数のカム溝５２ｃが形成されている。これら複数のカム溝５２ｃのそれぞれには、複数の羽根部材５３の各被駆動ピン５３ａ（係合ピン）が係合している。この構成により、羽根駆動部材５２が駆動モータ５６の駆動力を受けて光軸Ｏ周りに回転すると、その回転に伴って複数のカム溝５２ｃも同様に光軸Ｏ周りに径方向に移動する。これにより、複数の羽根部材５３の各被駆動ピン５３ａは、各カム溝５２ｃに沿って相対的に移動する。したがって、複数の羽根部材５３は、上記支軸部周りに回転駆動する。
【００６０】
このように、複数のカム溝５２ｃは、複数の羽根部材５３のそれぞれを駆動する駆動部として機能する部位となっている。複数のカム溝５２ｃは、複数の羽根部材５３に対応させて同数形成されている。本実施形態においては、複数の羽根部材５３を７枚配設した例を示している（図７参照）。これに対応させて、本実施形態における羽根駆動部材５２のカム溝５２ｃは７本形成されている。
【００６１】
ここで、複数のカム溝５２ｃは羽根駆動部材５２に設けられている。被駆動ピン５３ａは複数の羽根部材５３に設けられている。被駆動ピン５３ａはカム溝５２ｃに係合している。そして、カム溝５２ｃと被駆動ピン５３ａとによってカム手段が形成されている。
【００６２】
なお、本実施形態においては、カム溝５２ｃを羽根駆動部材５２に設け、被駆動ピン５３ａを羽根部材５３に設けた構成例を示しているが、カム手段の構成は、この構成例に限られることはない。例えば、カム溝を羽根部材側に設け、被駆動ピンを羽根駆動部材側に設けて構成してもよい。
【００６３】
さらに、羽根駆動部材５２には、複数の貫通孔５２ｇが設けられている。複数の貫通孔５２ｇは、羽根駆動部材５２の円環状の平面に対して略直行する方向（光軸Ｏに平行な方向）に貫通する孔部である。そして、複数の貫通孔５２ｇは、羽根駆動部材５２の外周縁部近傍において所定の間隔を置いて周方向に並べて略全周に亘って配置されている（図８参照）。この複数の貫通孔５２ｇは、光量調整装置１（絞りユニット）に形成されていて、内部空間と連通する貫通孔である。
【００６４】
この場合において、複数の貫通孔５２ｇを配置する領域は、光量調整装置１が組み立てられた状態で、かつ複数の羽根部材５３が開放状態にあるときに、当該複数の羽根部材５３に対向する位置の近傍となるのが望ましい。そのために、本実施形態において複数の貫通孔５２ｇは、羽根駆動部材５２の外周縁部近傍に配置している。
【００６５】
複数の羽根部材５３は、開口５１ａ，５２ａの外周領域において互いに重ね合わせて配置されている。この構成により、複数の羽根部材５３は、略円形状の開口を形成し、各羽根部材５３のそれぞれが所定の移動（光軸Ｏに平行な支軸部周りへの回転）を行うことによって、その開口径を変化させて、当該開口を通過する光量の調整を行うための可変開口形成部材である。
【００６６】
複数の羽根部材５３のそれぞれは、例えば薄板状シート部材等によって形成されている。各羽根部材５３は、例えば略三日月状 (lunate) に形成されている。また、各羽根部材５３の基端部近傍には、羽根駆動部材５２のカム溝５２ｃに係合する被駆動ピン５３ａと、固定枠部材５１の支軸部（不図示；後述する）が貫通配置され回転中心となる貫通孔５３ｂと、トーションバネ５５の他腕部を係止する羽根側トーションバネ係止部（不図示）等が形成されている。
【００６７】
ここで、被駆動ピン５３ａは、羽根駆動部材５２のカム溝５２ｃに係合し、同羽根駆動部材５２が回転するのに伴って各羽根部材５３を駆動させる軸部材である。また、貫通孔５３ｂは、固定枠部材５１の上記支軸部（不図示）が貫通配置される。これにより、この貫通孔５３ｂは、当該羽根部材５３の回転中心となる。そして、羽根側トーションバネ係止部（不図示）は、後述するように、各羽根部材５３を所定の一方向に付勢するトーションバネ５５の付勢力を受ける部位である。
【００６８】
貫通孔５３ｂは、羽根部材５３の基端部近傍に形成されている。これに対応するように、固定枠部材５１の円環平面部における内部空間部側には、上記複数の羽根部材５３のそれぞれを上記貫通孔５３ｂを回転中心として回転し得るように支持する複数の支軸部（不図示）が、上記複数の羽根部材５３と同数（本実施形態においては７本）設けられている。
【００６９】
この複数の支軸部は、それぞれが光軸Ｏと平行な方向に、固定枠部材５１の円環平面部から内部空間部の内部に向けて（複数の羽根部材５３が配設されている側に向けて）突出するように植設されている。各支軸部は、上記固定枠部材５１の円環平面部の周方向において略等間隔で並べて配設されている。
【００７０】
そして、当該光量調整装置１を組み立てた状態としたとき、複数の羽根部材５３の各貫通孔５３ｂには、上記支軸部のそれぞれが貫通配置される。これにより、複数の羽根部材５３は、光軸Ｏに平行な回転軸（即ち上記支軸部）周りに回転可能に軸支された状態で、固定枠部材５１の内部空間部に収納されている。そして、この状態としたとき、複数の羽根部材５３の各被駆動ピン５３ａは、羽根駆動部材５２の複数のカム溝５２ｃのそれぞれに係合される。
【００７１】
固定枠部材５１の内部空間に、羽根駆動部材５２と複数の羽根部材５３とを所定の位置に所定の形態で収納した状態で、固定枠部材５１の円環平面部に対向する開口部位に蓋部材５４が配設されている。
【００７２】
即ち、当該光量調整装置１を組み立てた状態とした時、固定枠部材５１の上記開口部位は蓋部材５４によって覆われている。そして、固定枠部材５１と蓋部材５４とは、例えば複数のビス１９によって締結固定されている。
【００７３】
蓋部材５４は、固定枠部材５１と略同径の略円環形状に形成されており、その略中心部位に円形開口５４ａを有して形成されている。この円形開口５４ａの中心軸は、開口５１ａ，５２ａの各中心軸及び光軸Ｏと略一致するように配置されている。
【００７４】
蓋部材５４は、固定枠部材５１の上記開口部位を覆うと共に、当該固定枠部材５１の内部空間に収納された各構成部材（羽根駆動部材５２及び複数の羽根部材５３等）の脱落を抑止するための部材として機能している。
【００７５】
蓋部材５４の内面側（固定枠部材５１の内部空間に向く面）には、複数の羽根部材５３の各被駆動ピン５３ａの背面側の凸部（不図示）がそれぞれ係合して、各羽根部材５３の回転をガイドする有底溝５４ｂが形成されている。
【００７６】
また、蓋部材５４には、固定枠部材５１の内部空間に収納された各羽根部材５３の基端部近傍の回転中心となる貫通孔５３ｂをそれぞれ露呈させるための複数（羽根部材５３と同数）の切欠部５４ｃが形成されている。
【００７７】
さらに、蓋部材５４には、複数の貫通孔５４ｇが設けられている。複数の貫通孔５４ｇは、蓋部材５４の円環状の平面部に対して略直行する方向（光軸Ｏに平行な方向）に貫通する孔部である。そして、複数の貫通孔５４ｇは、蓋部材５４の平面部における径方向の略中間位置近傍において所定の間隔を置いて周方向に略全周に亘って並べて配置されている（図９参照）。この複数の貫通孔５４ｇは、光量調整装置１（絞りユニット）に形成されていて、内部空間と連通する貫通孔である。
【００７８】
この場合において、複数の貫通孔５４ｇを配置する領域は、光量調整装置１が組み立てられた状態で、かつ複数の羽根部材５３が開放状態にあるときに、当該複数の羽根部材５３に対向する位置となるのが望ましい。そのために、本実施形態において複数の貫通孔５４ｇは、蓋部材５４の略中間位置近傍に配置されている。
【００７９】
さらに言えば、複数の貫通孔５４ｇは、例えば有底溝５４ｂと略同径円上において、当該有底溝５４ｂと交互に並ぶように配置されている。上述したように、有底溝５４ｂは、複数の羽根部材５３の被駆動ピン５３ａの背面側の凸部（不図示）に対向する位置に配置されている。したがって、有底溝５４ｂの配置される略同径円上に複数の貫通孔５４ｇを設ければ、当該貫通孔５４ｇは必然的に開放状態の複数の羽根部材５３に対向する位置に配置されることになる。
【００８０】
トーションバネ５５は、複数の羽根部材５３のそれぞれを常に一方向へと回転付勢することによって、当該複数の羽根部材５３によって形成される開口を縮径若しくは開放させるための付勢部材である。本実施形態においては、トーションバネ５５による付勢力は、各羽根部材５３を閉じる方向へと付勢するように設定されている。
【００８１】
トーションバネ５５は、ねじり方向の付勢力を利用する付勢部材である。即ち、当該トーションバネ５５は、コイル状に巻回された本体部と、この本体部の一端から延出する一腕部と、同様に本体部の他端から延出する他腕部とを有して形成されている。
【００８２】
そして、トーションバネ５５の本体部は蓋部材５４のトーションバネ挿通部５４ｄ（図９参照）に挿通されて配置され。トーションバネ５５の一腕部は蓋部材５４のトーションバネ係止部５４ｅ（図９参照）に係止される。トーションバネ５５の他腕部は羽根側トーションバネ係止部（不図示）に係止される。
【００８３】
トーションバネ５５は、複数の羽根部材５３のそれぞれに対応して一つずつ設けられている。したがって、本実施形態においては、トーションバネ５５は、７枚の羽根部材５３に対応させて７本配設されている。
【００８４】
位置センサ６０は、羽根駆動部材５２の回転方向における位置を検出するために設けられている。位置センサ６０は、例えばフォトインタラプタ (Photointerrupter) 等が適用されている。位置センサ６０は、固定枠部材５１と蓋部材５４とを合わせた形態の筐体の内部における所定の部位において凹状に形成される位置センサ配置部５４ｆ内に配置されて、接着等の手段を用いて当該筐体に対して固設されている。
【００８５】
これに対応させて、上記羽根駆動部材５２の外周縁部には、上記位置センサ６０に作用する遮光羽根部５２ｅが形成されている。そして、この遮光羽根部５２ｅが位置センサ６０の送受光部の間を通過することで、羽根駆動部材５２の回転方向における位置を検出する。
【００８６】
このように構成された光量調整装置１は、レンズ鏡筒１０の内部における所定の位置に取り付けられる。ここで、光量調整装置１のレンズ鏡筒１０への取り付けについて、以下に簡単に説明する。
【００８７】
図１０は光量調整装置が第３レンズ群保持筒に組み付けられた状態を示す断面図である。なお、図１０は図１１の［１０］−［１０］線に沿う断面を示している。図１１は図１０の矢印［１１］方向から見た平面図（背面図）である。図１２は図１０の矢印［１２］方向から見た平面図（正面図）である。
【００８８】
光量調整装置１は、レンズ鏡筒１０の第３レンズ群保持筒２３と一体となるように、当該第３レンズ群保持筒２３の前面側に組み付けられている。そのために、第３レンズ群保持筒２３の前面側には、光軸Ｏ周りに開口３６ａを有し、全体として円環形状の前カバー部材３６が設けられている。  前カバー部材３６の外周寄りの円環状平面部は、光量調整装置１の前面の一部を覆うと共に、前面側に向けて突出するように形成されている。この形状により、前カバー部材３６は、所定の容積を持つ内部空間を有して形成されている。この内部空間には、光量調整装置１の構成物のうち、当該光量調整装置１から前面に向けて突出するように配設されている各種の構成部材（例えばトーションバネ５５等）が収納されるように構成されている。これにより、それらの構成部材の前面が覆われている。そして、前カバー部材３６には複数の貫通孔３６ｇが形成されている。この複数の貫通孔３６ｇは、本実施形態では、前カバー部材３６における前方突出部に形成されている例を示している。
【００８９】
複数の貫通孔３６ｇは、図１２に示すように、所定の間隔を置いて周方向に並べて略全周に亘って配置されている。この場合において、複数の貫通孔３６ｇを配置する領域は、第３レンズ群保持筒２３に光量調整装置１が取り付けられた状態で、光量調整装置１の複数の貫通孔５４ｇに対向する面上であって、貫通孔５４ｇに連通し得る部位に設けられている。
【００９０】
前カバー部材３６は、図１１に示すように、複数（本例では２本）のビス２０等を用いて第３レンズ群保持筒２３の前面側に固定される。この場合において、光量調整装置１は、当該前カバー部材３６と第３レンズ群保持筒２３との間に挟持された状態で固定される。
【００９１】
一方、第３レンズ群保持筒２３には、複数の貫通孔２３ｇが形成されている。これら複数の貫通孔２３ｇは、図１１に示すように、第３レンズ群保持筒２３の外周寄りの所定の領域（本例では２つの領域）において、所定の間隔を置いて周方向に並べて配置されている。この場合において、複数の貫通孔２３ｇを配置する領域は、第３レンズ群保持筒２３に光量調整装置１が取り付けられた状態で、当該光量調整装置１の複数の貫通孔５２ｇに対向する面上であって、貫通孔５２ｇに連通し得る部位に設けられている。
【００９２】
光量調整装置１が取り付けられたレンズ鏡筒１０は、撮像装置（不図示）の所定の位置に装着されて使用される。即ち、当該撮像装置を用いて撮像動作を実行するときに、撮影環境に応じて撮影パラメータ（シャッター速度や絞り値など）を設定する。この撮影パラーメタに含まれる絞り値設定動作の際に、光量調整装置１が制御されて、複数の羽根部材５３が形成する開口径が、適宜所定のタイミングで可変する。これにより、光量調整装置１は、当該レンズ鏡筒１０の撮像光学系を通過して、撮像装置の撮像素子（不図示）の受光面に到達する光束の光量調整を行うことができる。
【００９３】
この場合において、光量調整装置１が駆動するたびに、複数の羽根部材５３同士は互いに摺動する。この摺動に起因して、複数の羽根部材５３同士が帯電する。そして、その静電気は、何もしなければいつまでも放電されないまま溜まり続ける。
【００９４】
ところで、光量調整装置１を適用したレンズ鏡筒１０を装着した撮像装置（不図示）の使用時には、適宜ズーミング操作が行われる。このズーミング操作は、使用者（ユーザ）がズームリング４２を回転させる手動操作を行うことで実行される。
【００９５】
例えば、図１に示す状態は、レンズ鏡筒１０において可動筒２６が最も縮んだ状態を示している。レンズ鏡筒１０が、この図１の状態にあるときに、使用者によってズームリング４２の光軸Ｏ周りにおける所定の回転方向への回転操作が行われると、上述したように、不図示のズーム機構の作用によって可動筒２６が光軸Ｏに沿う方向において伸長する方向に移動する。これと同時に、光量調整装置１（絞りユニット）が一体に設けられた第３レンズ群保持筒２３も、光軸Ｏに沿う方向に移動する。そして、やがて、例えば図３に示す状態になる。図３に示す状態は、レンズ鏡筒１０において可動筒２６が最も延びた状態を示している。
【００９６】
このようにして、レンズ鏡筒１０が、図１の状態から伸長状態（例えば図３の状態）へと変位するとき、第１光学ユニット（１１，２１，２６）と光量調整装置１（絞りユニット）の少なくとも一方が光軸Ｏ方向に移動すると、可動筒２６の内部空間領域（図３の符号Ｒで示す領域）は負圧になる。ここで、当該内部空間領域Ｒは外部空間との間において、図１，図３において矢印ＦＬで示す空気流通経路によって連通している。
【００９７】
詳述すると、当該レンズ鏡筒１０における空気流通経路ＦＬは、外部空間から内部空間を結ぶ空気流通路（隙間Ｇ１，Ｇ２，孔部３０ａ（図１，図３参照））に連通し、内部空間において空気が流通する経路をいうものとする。空気流通経路ＦＬは、貫通孔２３ｇ，５２ｇ，５４ｇ，３６ｇ（図２，図４参照）を含み、上記空気流通路の孔部３０ａに連通する隙間Ｇ３から内部空間領域Ｒへと至る通路をいう。したがって、貫通孔２３ｇ，５２ｇ，５４ｇ，３６ｇは内部空間に配設されている。
【００９８】
つまり、外部空間から本レンズ鏡筒１０の内部に吸入された空気は、空気流通路を経て空気流通経路ＦＬを通過して内部空間領域Ｒへと吸入される。このとき、複数の貫通孔２３ｇから第３レンズ群保持筒２３の内部に吸入された空気は、光量調整装置１における複数の貫通孔５２ｇから複数の羽根部材５３に吹き付けられることになる。そして、当該空気は、複数の羽根部材５３の互いに重なり合った羽根同士の隙間を通って、複数の貫通孔５４ｇへと抜け出ることになる。このとき、複数の羽根部材５３は除電される。つまり、空気流通経路ＦＬを流れる空気は、帯電した状態の複数の羽根部材５３に触れることで帯電し、この帯電した空気が当該経路ＦＬを通過することで、複数の羽根部材５３は除電されることになる。
【００９９】
なお、複数の羽根部材５３の互いに重なり合った羽根同士の隙間を空気が流通することができるようにする構成として、例えば、複数の羽根部材５３の各羽根の平面が光軸Ｏに対して傾斜させた形態で配置する。このような構成とすれば、複数の羽根部材５３に対向する部位に設けられた貫通孔から流れてくる空気は、各羽根の平面に吹き付けられた後、各羽根の平面に沿って流れることになる。こうして各羽根の平面に沿って流れる空気は、各羽根同士のわずかな隙間であっても、容易に入り込みやすくなる。したがって、空気の流通がよりスムーズに行われることになる。
【０１００】
このようにして、複数の貫通孔５２ｇから複数の羽根部材５３に向けて吹き付けられた空気はイオン化されて複数の貫通孔５４ｇへ抜け出る。その後、当該空気は、内部空間領域Ｒへと至ることにより、当該内部空間領域Ｒの負圧は正圧へと変位する。
【０１０１】
一方、レンズ鏡筒１０の可動筒２６が図１の状態よりも延びた状態（例えば最大に伸びた状態の例として図３の状態を示している）にあるときに、使用者がズームリング４２の光軸Ｏ周りにおける所定の回転方向への回転操作が行って、図１の状態へと戻す操作が行われると、同様に、不図示のズーム機構の作用によって可動筒２６が光軸Ｏに沿う方向に縮長される。そして、やがて、例えば図１に示す状態になる。
【０１０２】
このようにして、レンズ鏡筒１０が、伸長状態（例えば図３の状態）から図１の状態に変位するとき、可動筒２６の内部空間領域（図３の符号Ｒで示す領域）は正圧へと移行する。
【０１０３】
即ち、可動筒２６が縮長方向に移動するとき、第１光学ユニット（１１，２１，２６）と光量調整装置１（絞りユニット）の少なくとも一方が光軸Ｏ方向に移動して、内部空間領域Ｒ内の空気は、空気流通経路ＦＬを通過して空気流通路（３０ａ，Ｇ２，Ｇ１）から外部空間へと排出される。その経路は吸入時と同様である。そうして、内部空間領域Ｒから空気流通経路ＦＬ，空気流通路（３０ａ、Ｇ２，Ｇ１）を経て外部空間へと空気が排出される際にも複数の羽根部材５３は除電される。
【０１０４】
以上説明したように上記一実施形態によれる光量調整装置１は、
外部空間と内部空間との間を連通させる空気流通路（Ｇ１，Ｇ２，３０ａ）が形成されたレンズ鏡筒１０において、内部空間に配置されていて所定の範囲内で複数の羽根部材５３を回転させて所定の開口１０ａを形成する絞りユニット１と、内部空間に配置されていて絞りユニットに対して被写体側に位置する光学ユニット（１２，２２）と、絞りユニットに形成されていて内部空間と連通する貫通孔５２ｇ，５４ｇとを具備し、光学ユニットと絞りユニットとの少なくとも一方が光軸Ｏ方向に移動した際に、上記内部空間の空気を、上記空気流通路および上記貫通孔を介して上記複数の羽根部材に触れさせて帯電させると共に、この帯電した空気を上記外部空間に排出する。  
【０１０５】
このような構成により、光量調整装置１においては、可動筒２６（可動部材）がズームリング４２の回転操作に応じて光軸Ｏに沿う方向に移動すると、空気流通経路ＦＬを空気が対流する。このとき、対流する空気は、複数の貫通孔５２ｇ，５４ｇを通って、複数の羽根部材５３が重なり合う領域に吹き付けられ、重なり合う羽根部材５３同士の間を通り抜ける。これにより、光量調整装置１における複数の羽根部材５３を除電することができる。
【０１０６】
このように、光量調整装置１においては、複数の貫通孔５２ｇ，５４ｇを、空気流通経路ＦＬと一致する位置に配置して構成し、通常のズーム操作によって生じる空気の対流を利用して、光量調整装置１の複数の羽根部材５３を除電することができる。したがって、特別な操作を実行することなく、通常の使用を行っているのみで、光量調整装置１の除電を行ことができる。したがって、帯電した光量調整装置１（の複数の羽根部材５３）が放電されないままに、静電気が溜まり過ぎてしまうということがない。
【０１０７】
なお、上記一実施形態において示す例では、ズーミング操作を使用者がズームリング４２を手動で操作する例を示したが、このような操作手段に限られることはない。例えば、使用者がズームスイッチの押圧操作やスライド操作を行うことで電動ズーム機構が作用して、同様のズーミング動作が行われるような構成としてもよい。このようなズーミング動作であっても、所定の鏡筒部材が光軸方向に移動することでズーミングを実現し得る形態であれば、上述の一実施形態と全く同様の効果を得ることはできる。
【０１０８】
また、上述の一実施形態では、光量調整装置１を適用するレンズ鏡筒として、レンズ交換式のレンズ鏡筒であって、かつレンズ鏡筒の全長が変倍操作（ズーミング操作）に応じて光軸に沿う方向に移動するように構成されたズームレンズ鏡筒として例示しているが、この構成例に限られることはない。
【０１０９】
例えば、撮像光学系の一部の光学系が、焦点調節操作（フォーカシング操作）に応じて光軸に沿う方向に移動自在に構成された焦点調整機構を備えたレンズ鏡筒であっても、同様に、本発明の構成を適用することができる。そして、その場合においても、同様の効果を得ることができる。
【０１１０】
また、例えば、撮像光学系の一部の光学系を光軸に対して所定の方向に移動させる機構（いわゆる手ブレ補正機構）を備えたレンズ鏡筒であっても、同様に本発明の構成を適用できる。そして、この場合においても、同様の効果を得ることができる。
【０１１１】
つまり、レンズ鏡筒において、内部に可動部材を備え、レンズ鏡筒の外部と内部とで空気の吸入と排出を行うことができ、取り込んだ空気を鏡筒内部で対流させる空気流通路を有し、かつ当該喰う気流通路の経路上に複数の羽根部材が配置されるように構成できれば、同様の効果を得ることができる。
【０１１２】
また、本実施形態においては、羽根駆動部材５２にカム溝５２ｃを設け、複数の羽根部材５３に被駆動ピン５３ａを設けた構成を例示しているが、この構成に限られることはない。例えば、複数の羽根部材側にカム溝を設ける一方、羽根駆動リング側に被駆動ピンを設けて構成することもでき、その場合にも全く同様の作用及び効果を得ることができる。
【０１１３】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１１４】
１……光量調整装置
１０……レンズ鏡筒
１０ａ……開口
１１……第１レンズ群
１２……第２レンズ群
１３……第３レンズ群
１４……第４レンズ群
１５……第５レンズ群
１９，２０……ビス
２１……第１レンズ群保持筒
２２……第２レンズ群保持筒
２３……第３レンズ群保持筒
２３ｇ，５２ｇ，５４ｇ，３６ｇ……貫通孔
２４……第４レンズ群保持筒
２５……第５レンズ群保持筒
２６……可動筒
２７……カム筒
２８……内部固定筒
３６……前カバー部材
３６ａ，５１ａ，５２ａ，５４ａ……開口
３６ｇ……貫通孔
４１……フォーカスリング
４２……ズームリング
４３……マウント部
４４……通気シート
５１……固定枠部材
５１ｂ……貫通溝
５１ｃ……第２バネ係止部
５２……羽根駆動部材
５２ｂ……第１バネ係止部
５２ｃ……カム溝
５２ｄ……セクタギアー
５２ｅ……遮光羽根部
５３……羽根部材
５３ａ……被駆動ピン
５３ｂ……貫通孔
５４……蓋部材
５４ｂ……有底溝
５４ｃ……切欠部
５４ｄ……トーションバネ挿通部
５４ｅ……トーションバネ係止部
５４ｆ……位置センサ配置部
５５……トーションバネ
５６……駆動モータ
５６ａ……ピニオンギアー
５７……ビス
５８……付勢バネ
６０……位置センサ
ＦＬ……空気流通経路
Ｇ１，Ｇ２，Ｇ３……隙間
Ｏ……光軸
Ｒ……内部空間領域
【図１】
2019200234.tif 000003
【図２】
2019200234.tif 000004
【図３】
2019200234.tif 000005
【図４】
2019200234.tif 000006
【図５】
2019200234.tif 000007
【図６】
2019200234.tif 000008
【図７】
2019200234.tif 000009
【図８】
2019200234.tif 000010
【図９】
2019200234.tif 000011
【図１０】
2019200234.tif 000012
【図１１】
2019200234.tif 000013
【図１２】
2019200234.tif 000014